【手続補正書】
【提出日】平成27年7月9日(2015.7.9)
【手続補正１】
【補正対象書類名】特許請求の範囲
【補正対象項目名】全文
【補正方法】変更
【補正の内容】
【特許請求の範囲】
【請求項１】
液体を噴射する液体噴射ヘッドを備えた液体噴射装置であって、
複数の弾性チューブが並列に連結された弾性チューブ集合体と、
各前記弾性チューブの端部に挿入して前記端部を補強する複数の端部補強管と各前記端部補強管を並列に連結する連結部とを有する端部補強管集合体と、
前記端部補強管が挿入された前記弾性チューブの前記端部と前記端部補強管集合体とを被う形状に樹脂材を用いて射出成形され、前記端部補強管を介して前記弾性チューブと連通するコネクターと、を備えたコネクター付弾性チューブを備え、
前記端部補強管集合体の前記連結部は、前記弾性チューブの前記端部の端面より離れた位置にあることを特徴とする液体噴射装置。
【請求項２】
請求項１に記載の液体噴射装置であって、
前記連結部は、弾性を有することを特徴とする液体噴射装置。
【請求項３】
請求項１または請求項２に記載の液体噴射装置であって、
前記端部補強管集合体の前記複数の端部補強管は、前記液体が流れる第１方向と交差する第２方向に沿って並び、
前記連結部は、前記第１方向および前記第２方向と交差する第３方向において、前記複数の端部補強管が並ぶ前記第２方向に沿うとともに各前記端部補強管の中心を通る中心線を挟んで両側に配置されたことを特徴とする液体噴射装置。
【請求項４】
請求項３に記載の液体噴射装置であって、
前記連結部は、前記第２方向の一方から他方に遠ざかるに従って、前記第３方向において、前記中心線を挟んで一方の側または他方の側に交互に配置されたことを特徴とする液体噴射装置。
【請求項５】
請求項４に記載の液体噴射装置であって、
前記端部補強管は、前記弾性チューブの前記端部に挿入される挿入部と、前記挿入部より外径が大きい円筒形の外形をなすフランジ部と、を有し、
前記端部補強管の前記フランジ部の外周は、前記第２方向において、前記第３方向および前記第１方向に沿う第１平面によって面取りされた第１平面部を有し、
前記連結部は、前記第１平面部に接続されたことを特徴とする液体噴射装置。
【請求項６】
請求項５に記載の液体噴射装置であって、
前記端部補強管の前記フランジ部の内周は、前記第２方向および前記第３方向に沿う断面において円形をなし、
前記端部補強管の前記フランジ部の前記外周は、
前記第２方向の両側において、前記第３方向および前記第１方向に沿う前記第１平面によって面取りされた前記第１平面部と、
前記第３方向の両側において、前記第１方向および前記第２方向に沿う第２平面によって面取りされた第２平面部と、を有することを特徴とする液体噴射装置。
【請求項７】
請求項１から請求項６のいずれか一項に記載の液体噴射装置であって、
前記端部補強管と前記コネクターとは、同じ樹脂材によって形成されたことを特徴とする液体噴射装置。
【請求項８】
請求項１から請求項７のいずれか一項に記載の液体噴射装置であって、
前記コネクターは、前記弾性チューブと連通するとともに前記端部補強管が前記弾性チューブに挿入される方向と交差する方向に延びる流路を備えたことを特徴とする液体噴射装置。
【請求項９】
液体を噴射する液体噴射ヘッドを備えた液体噴射装置であって、
前記液体噴射ヘッドへ向けて前記液体を供給する液体供給路の一部を構成する複数の弾性チューブと、
各前記弾性チューブの端部に挿入して前記端部を補強する複数の端部補強管と各前記端部補強管を並列に連結する連結部とを有する端部補強管集合体と、
前記端部補強管が挿入された前記弾性チューブの前記端部と前記端部補強管集合体とを被う形状に樹脂材を用いて射出成形され、前記端部補強管を介して前記弾性チューブと連通するコネクターと、を備えたコネクター付弾性チューブを備え、
前記端部補強管集合体の前記連結部は、前記弾性チューブの前記端部の端面より離れた位置にあることを特徴とする液体噴射装置。
【手続補正２】
【補正対象書類名】明細書
【補正対象項目名】発明の名称
【補正方法】変更
【補正の内容】
【発明の名称】液体噴射装置
【手続補正３】
【補正対象書類名】明細書
【補正対象項目名】０００１
【補正方法】変更
【補正の内容】
【０００１】
本発明は、コネクター付弾性チューブを備えた液体噴射装置に関する。
【手続補正４】
【補正対象書類名】明細書
【補正対象項目名】０００８
【補正方法】変更
【補正の内容】
【０００８】
［適用例１］液体を噴射する液体噴射ヘッドを備えた液体噴射装置であって、複数の弾性チューブが並列に連結された弾性チューブ集合体と、各前記弾性チューブの端部に挿入して前記端部を補強する複数の端部補強管と各前記端部補強管を並列に連結する連結部とを有する端部補強管集合体と、前記端部補強管が挿入された前記弾性チューブの前記端部と前記端部補強管集合体とを被う形状に樹脂材を用いて射出成形され、前記端部補強管を介して前記弾性チューブと連通するコネクターと、を備えたコネクター付弾性チューブを備え、前記端部補強管集合体の前記連結部は、前記弾性チューブの前記端部の端面より離れた位置にあることを特徴とする液体噴射装置。
【手続補正５】
【補正対象書類名】明細書
【補正対象項目名】００１０
【補正方法】変更
【補正の内容】
【００１０】
［適用例２］前記連結部は、弾性を有することを特徴とする上記液体噴射装置。
【手続補正６】
【補正対象書類名】明細書
【補正対象項目名】００１２
【補正方法】変更
【補正の内容】
【００１２】
［適用例３］前記端部補強管集合体の前記複数の端部補強管は、前記液体が流れる第１方向と交差する第２方向に沿って並び、前記連結部は、前記第１方向および前記第２方向と交差する第３方向において、前記複数の端部補強管が並ぶ前記第２方向に沿うとともに各前記端部補強管の中心を通る中心線を挟んで両側に配置されたことを特徴とする上記液体噴射装置。
【手続補正７】
【補正対象書類名】明細書
【補正対象項目名】００１３
【補正方法】変更
【補正の内容】
【００１３】
本適用例によれば、第１方向および第２方向と交差する第３方向において、各端部補強管が異なる方向にずれることになる。そのため、第３方向における各端部補強管の位置のずれを全体として小さくできる。
【手続補正８】
【補正対象書類名】明細書
【補正対象項目名】００１４
【補正方法】変更
【補正の内容】
【００１４】
［適用例４］前記連結部は、前記第２方向の一方から他方に遠ざかるに従って、前記第３方向において、前記中心線を挟んで一方の側または他方の側に交互に配置されたことを特徴とする上記液体噴射装置。
【手続補正９】
【補正対象書類名】明細書
【補正対象項目名】００１５
【補正方法】変更
【補正の内容】
【００１５】
本適用例によれば、第３方向において、各端部補強管が交互に異なる方向にずれることになる。そのため、第２方向に沿って、各端部補強管が湾曲線状に並ぶことを抑制できる。
【手続補正１０】
【補正対象書類名】明細書
【補正対象項目名】００１６
【補正方法】変更
【補正の内容】
【００１６】
［適用例５］前記端部補強管は、前記弾性チューブの前記端部に挿入される挿入部と、前記挿入部より外径が大きい円筒形の外形をなすフランジ部と、を有し、前記端部補強管の前記フランジ部の外周は、前記第２方向において、前記第３方向および前記第１方向に沿う第１平面によって面取りされた第１平面部を有し、前記連結部は、前記第１平面部に接続されたことを特徴とする上記液体噴射装置。
【手続補正１１】
【補正対象書類名】明細書
【補正対象項目名】００１７
【補正方法】変更
【補正の内容】
【００１７】
本適用例によれば、隣り合う一対の端部補強管との距離が長くなるので、成形型において、隣り合う一対の端部補強管との間を形成する部分を厚く形成することができる。そのため、成形型における隣り合う一対の端部補強管との間を形成する部分が損傷することを抑制できる。また、端部補強管のフランジ部における第１平面部に連結部を接続できるので、連結部の厚さを増すことができる。
【手続補正１２】
【補正対象書類名】明細書
【補正対象項目名】００１８
【補正方法】変更
【補正の内容】
【００１８】
［適用例６］前記端部補強管の前記フランジ部の内周は、前記第２方向および前記第３方向に沿う断面において円形をなし、前記端部補強管の前記フランジ部の前記外周は、前記第２方向の両側において、前記第３方向および前記第１方向に沿う前記第１平面によって面取りされた前記第１平面部と、前記第３方向の両側において、前記第１方向および前記第２方向に沿う第２平面によって面取りされた第２平面部と、を有することを特徴とする上記液体噴射装置。
【手続補正１３】
【補正対象書類名】明細書
【補正対象項目名】００１９
【補正方法】変更
【補正の内容】
【００１９】
本適用例によれば、端部補強管の第２方向の厚さと第３方向の厚さとの差を小さくできるので、端部補強管の内周の内径における真円度が高くなる。
【手続補正１４】
【補正対象書類名】明細書
【補正対象項目名】００２０
【補正方法】変更
【補正の内容】
【００２０】
［適用例７］前記端部補強管と前記コネクターとは、同じ樹脂材によって形成されたことを特徴とする上記液体噴射装置。
【手続補正１５】
【補正対象書類名】明細書
【補正対象項目名】００２１
【補正方法】変更
【補正の内容】
【００２１】
本適用例によれば、液体が端部補強管とコネクターとの間に侵入することを抑制できる。
【手続補正１６】
【補正対象書類名】明細書
【補正対象項目名】００２２
【補正方法】変更
【補正の内容】
【００２２】
［適用例８］前記コネクターは、前記弾性チューブと連通するとともに前記端部補強管が前記弾性チューブに挿入される方向と交差する方向に延びる流路を備えたことを特徴とする上記液体噴射装置。
［適用例９］液体を噴射する液体噴射ヘッドを備えた液体噴射装置であって、前記液体噴射ヘッドへ向けて前記液体を供給する液体供給路の一部を構成する複数の弾性チューブと、各前記弾性チューブの端部に挿入して前記端部を補強する複数の端部補強管と各前記端部補強管を並列に連結する連結部とを有する端部補強管集合体と、前記端部補強管が挿入された前記弾性チューブの前記端部と前記端部補強管集合体とを被う形状に樹脂材を用いて射出成形され、前記端部補強管を介して前記弾性チューブと連通するコネクターと、を備えたコネクター付弾性チューブを備え、前記端部補強管集合体の前記連結部は、前記弾性チューブの前記端部の端面より離れた位置にあることを特徴とする液体噴射装置。